【手続補正書】
【提出日】平成21年7月28日(2009.7.28)
【手続補正１】
【補正対象書類名】特許請求の範囲
【補正対象項目名】全文
【補正方法】変更
【補正の内容】
【特許請求の範囲】
【請求項１】
導電性を有する支持体と、該支持体上に設けられた感光層を有する電子写真感光体において、
該感光層が、下記式（１）で示される構造を有するビスアゾ顔料、下記式（２）で示される構造を有するビスアゾ顔料及び下記式（３）で示される構造を有するビスアゾ顔料の少なくとも１種を含有することを特徴とする電子写真感光体。
【化１】
2008039899.tif 000001
【化２】
2008039899.tif 000002
【化３】
2008039899.tif 000003
（式（１）、（２）及び（３）中、Ｃｐ１とＣｐ２はフェノール性水酸基を有するカプラー残基を示す。但し、Ｃｐ１とＣｐ２の少なくとも一方は下記式（４）で表されるカプラー残基を示す。）
【化４】
2008039899.tif 000004
（式（４）中、Ｒ１とＲ２は独立して、水素原子、置換基を有してもよいアルキル基、置換基を有してもよいアリール基、置換基を有してもよい複素環基、または置換基を有してもよいアラルキル基を示す。但し、Ｒ１とＲ２は式（４）中の窒素原子を介して環状アミノ基を形成してもよい。Ｚは酸素原子または硫黄原子を示す。）
【請求項２】
前記式（４）中のＲ１が水素原子であり、Ｒ２が置換基を有してもよいフェニル基であり、Ｚが酸素原子である請求項１に記載の電子写真感光体。
【請求項３】
前記式（４）中のＲ２が、ハロゲン原子、ニトロ基、トリフルオロメチル基、トリフルオロメトキシ基、アセチル基及びシアノ基からなる群より選ばれる少なくとも１つの基で置換されたフェニル基である請求項２に記載の電子写真感光体。
【請求項４】
前記式（４）中のＲ２が、ハロゲン原子、ニトロ基、トリフルオロメチル基、トリフルオロメトキシ基、アセチル基及びシアノ基からなる群より選ばれる何れか１つの基が３位に置換したフェニル基である請求項２に記載の電子写真感光体。
【請求項５】
前記式（４）中のＲ２が、トリフルオロメチル基が３位に置換したフェニル基である請求項４に記載の電子写真感光体。
【請求項６】
前記式（１）、前記式（２）及び前記式（３）中のＣｐ１およびＣｐ２が、前記式（４）で表されるカプラー残基である請求項１〜５の何れかに記載の電子写真感光体。
【請求項７】
請求項１〜６の何れかに記載の電子写真感光体と、帯電手段、イメージ露光手段、現像手段及び転写手段を有する電子写真装置。
【請求項８】
前記イメージ露光手段が、発振波長が３８０〜５５０ｎｍの半導体レーザーを有する請求項７に記載の電子写真装置。
【請求項９】
請求項１〜６の何れかに記載の電子写真感光体と、帯電手段、現像手段及びクリーニング手段からなる群より選ばれる少なくとも１つの手段とを一体に支持し、電子写真装置本体に着脱自在であるプロセスカートリッジ。
【手続補正２】
【補正対象書類名】明細書
【補正対象項目名】０００６
【補正方法】変更
【補正の内容】
【０００６】
すなわち本発明に従って、導電性を有する支持体と、該支持体上に設けられた感光層を有する電子写真感光体において、該感光層が、下記式（１）で示される構造を有するビスアゾ顔料、下記式（２）で示される構造を有するビスアゾ顔料及び下記式（３）で示される構造を有するビスアゾ顔料の少なくとも１種を含有することを特徴とする電子写真感光体が提供される。
【手続補正３】
【補正対象書類名】明細書
【補正対象項目名】０００９
【補正方法】変更
【補正の内容】
【０００９】
【化７】
2008039899.tif 000005
（式（１）、（２）及び（３）中、Ｃｐ１とＣｐ２はフェノール性水酸基を有するカプラー残基を示す。但し、Ｃｐ１とＣｐ２の少なくとも一方は下記式（４）で表されるカプラー残基を示す。）
【手続補正４】
【補正対象書類名】明細書
【補正対象項目名】００１０
【補正方法】変更
【補正の内容】
【００１０】
【化８】
2008039899.tif 000006
（式（４）中、Ｒ１とＲ２は独立して、水素原子、置換基を有してもよいアルキル基、置換基を有してもよいアリール基、置換基を有してもよい複素環基、または置換基を有してもよいアラルキル基を示す。但し、Ｒ１とＲ２は式（４）中の窒素原子を介して環状アミノ基を形成してもよい。Ｚは酸素原子または硫黄原子を示す。）
【手続補正５】
【補正対象書類名】明細書
【補正対象項目名】００１１
【補正方法】変更
【補正の内容】
【００１１】
また、本発明に従って、上記電子写真感光体と、帯電手段、イメージ露光手段、現像手段及び転写手段を有する電子写真装置が提供される。
【手続補正６】
【補正対象書類名】明細書
【補正対象項目名】００１２
【補正方法】変更
【補正の内容】
【００１２】
また、本発明に従って、上記電子写真感光体と、帯電手段、現像手段及びクリーニング手段からなる群より選ばれる少なくとも１つの手段とを一体に支持し、電子写真装置本体に着脱自在であるプロセスカートリッジが提供される。
【手続補正７】
【補正対象書類名】明細書
【補正対象項目名】００２６
【補正方法】変更
【補正の内容】
【００２６】
電荷発生物質としては、本発明に係る下記式（１）で示される構造を有するビスアゾ顔料、下記式（２）で示される構造を有するビスアゾ顔料及び下記式（３）で示される構造を有するビスアゾ顔料の少なくとも１種が用いられる。
【手続補正８】
【補正対象書類名】明細書
【補正対象項目名】００２９
【補正方法】変更
【補正の内容】
【００２９】
【化１１】
2008039899.tif 000007
【手続補正９】
【補正対象書類名】明細書
【補正対象項目名】００３２
【補正方法】変更
【補正の内容】
【００３２】
式（４）中、Ｒ１とＲ２は独立して、水素原子、置換基を有してもよいアルキル基、置換基を有してもよいアリール基、置換基を有してもよい複素環基、または置換基を有してもよいアラルキル基を示す。但し、Ｒ１とＲ２は式（４）中の窒素原子を介して環状アミノ基を形成してもよい。Ｚは酸素原子または硫黄原子を示す。
【手続補正１０】
【補正対象書類名】明細書
【補正対象項目名】００３５
【補正方法】変更
【補正の内容】
【００３５】
好ましくは、Ｒ１が水素原子であり、Ｒ２が置換基を有してもよいフェニル基であり、Ｚが酸素原子である場合が挙げられる。フェニル基の置換基としては、ハロゲン原子、ニトロ基、トリフルオロメチル基、トリフルオロメトキシ基、アセチル基及びシアノ基が挙げられる。また、これらの置換基の置換位置としては３位が挙げられる。
【手続補正１１】
【補正対象書類名】明細書
【補正対象項目名】００３６
【補正方法】変更
【補正の内容】
【００３６】
さらに好ましくは、Ｒ１が水素原子であり、Ｒ２がトリフルオロメチル基が３位に置換したフェニル基である場合が挙げられる。
【手続補正１２】
【補正対象書類名】明細書
【補正対象項目名】００３７
【補正方法】変更
【補正の内容】
【００３７】
さらに好ましくは、Ｃｐ１とＣｐ２が共に前記式（４）で表されるカプラー残基である場合が挙げられる。
【手続補正１３】
【補正対象書類名】明細書
【補正対象項目名】００９５
【補正方法】変更
【補正の内容】
【００９５】
図５に示す装置では、少なくとも電子写真感光体１、コロナ帯電器２および現像手段４を容器３５に納めてプロセスカートリッジとし、そのプロセスカートリッジを電子写真装置本体のレールなどの案内手段３４’を用いて着脱自在に構成している。クリーニング手段６は、容器３５内に配置しても配置しなくてもよい。